(57)【要約】【課題】  ＩＥＥＥ８０２．３ａｆ方式の給電ハブから方式ＡのＩＰ電話機への給電を可能とするとともに、方式Ａの給電ハブからＩＥＥＥ８０２．３ａｆ方式のＩＰ電話機への給電等を可能とする。【解決手段】  ＬＡＮに接続されたＩＰ電話機３と、ＩＰ電話機３に給電を開始する前に認証用信号を送信データ線２３から受信データ２４線に対して送出し、受信した認証信号で特定のインピーダンスを検出することにより給電を開始し、給電電流が特定のピーク値を超えない限り給電を継続する給電ハブ２との間に接続可能で、認証用のインピーダンス素子１３と、認証の終了後に、データ送受信線２３、２４をインピーダンス素子１３から切り離し、データ送受信線２３、２４に給電ハブ２から直流電力が重畳されるように回路を切り替え、ＩＰ電話機３への給電を可能とする回路切替手段１４〜１７とを備える給電方式変換アダプタ１等。【選択図】  図２
2005323017.tif 000002
【特許請求の範囲】
【請求項１】
ＬＡＮに接続されたＩＰ電話機と、該ＩＰ電話機に給電を開始する前に認証用信号を送信データ線から受信データ線に対して送出し、受信した認証信号で特定のインピーダンスを検出することにより給電を開始し、給電電流が特定のピーク値を超えない限り給電を継続する給電ハブとの間に接続可能なＩＰ電話機給電方式変換アダプタであって、
前記認証用のインピーダンス素子と、
前記認証の終了後に、データ送受信線を前記インピーダンス素子から切り離し、該データ送受信線に前記給電ハブから直流電力が重畳されるように回路を切り替え、前記ＩＰ電話機への給電を可能とする回路切替手段とを備えることを特徴とするＩＰ電話機給電方式変換アダプタ。
【請求項２】
前記データ送受信線に直流電力が重畳されるように回路を切り替えた際に、該回路を流れる最大電流を制限するための定電流回路を備えることを特徴とする請求項１に記載のＩＰ電話機給電方式変換アダプタ。
【請求項３】
ＬＡＮに接続されたＩＰ電話機と、該ＩＰ電話機に給電を開始する前に特定の電圧以下の認証用電流を送信データ線から受信データ線に対して送出し、受信した認証電流で給電を開始する給電ハブとの間に接続可能なＩＰ電話機給電方式変換アダプタであって、
前記認証用の電流値が特定の値以下の場合には、内部のスイッチ手段をオフすることにより特定の抵抗で終端する認証用回路を備え、
前記認証の終了後に、データ送受信線に前記給電ハブから直流電力が重畳された際に、前記内部のスイッチ手段をオンすることにより、前記ＩＰ電話機への給電を可能とすることを特徴とするＩＰ電話機給電方式変換アダプタ。
【請求項４】
ＬＡＮに接続されたＩＰ電話機と、該ＩＰ電話機に給電を開始する前に認証用信号を送信データ線から受信データ線に対して送出し、受信した認証信号で特定のインピーダンスを検出することにより給電を開始し、給電電流が特定のピーク値を超えない限り給電を継続する第１の給電ハブに接続可能であるとともに、
ＬＡＮに接続されたＩＰ電話機と、該ＩＰ電話機に給電を開始する前に特定の電圧以下の認証用電流を送信データ線から受信データ線に対して送出し、受信した認証電流で給電を開始する第２の給電ハブに接続可能なＩＰ電話機給電方式変換アダプタであって、
前記第１の給電ハブとの認証用のインピーダンス素子と、
前記第１の給電ハブとの認証の終了後に、データ送受信線を前記インピーダンス素子から切り離し、該データ送受信線に前記第１の給電ハブから直流電力が重畳されるように回路を切り替え、前記ＩＰ電話機への給電を可能とする回路切替手段とを備えるとともに、
前記第２の給電ハブとの認証用の電流値が特定の値以下の場合には、内部のスイッチ手段をオフすることにより特定の抵抗で終端する認証用回路を備え、
前記第２の給電ハブとの認証の終了後に、データ送受信線に前記第２の給電ハブから直流電力が重畳された際に、前記内部のスイッチ手段をオンすることにより、前記ＩＰ電話機への給電を可能とすることを特徴とするＩＰ電話機給電方式変換アダプタ。
【請求項５】
給電を開始する前に認証用信号を送信データ線から受信データ線に対して送出し、受信した認証信号で特定のインピーダンスを検出することにより給電を開始し、給電電流が特定のピーク値を超えない限り給電を継続する給電ハブとＬＡＮを介して接続可能なＩＰ電話機であって、
前記認証用のインピーダンス素子と、
前記認証の終了後に、データ送受信線を前記インピーダンス素子から切り離し、該データ送受信線に前記給電ハブから直流電力が重畳されるように回路を切り替え、該ＩＰ電話機への給電を可能とする回路切替手段とを備えることを特徴とするＩＰ電話機。
【請求項６】
前記データ送受信線に直流電力が重畳されるように回路を切り替えた際に、該回路を流れる最大電流を制限するための定電流回路を備えることを特徴とする請求項４に記載のＩＰ電話機。
【請求項７】
給電を開始する前に特定の電圧以下の認証用電流を送信データ線から受信データ線に対して送出し、受信した認証電流で給電を開始する給電ハブとＬＡＮを介して接続可能なＩＰ電話機であって、
前記認証用の電流値が特定の値以下の場合には、内部のスイッチ手段をオフすることにより特定の抵抗で終端する認証用回路を備え、
前記認証の終了後に、データ送受信線に前記給電ハブから直流電力が重畳された際に、前記内部のスイッチ手段をオンすることにより、該ＩＰ電話機への給電を可能とすることを特徴とするＩＰ電話機。
【請求項８】
給電を開始する前に認証用信号を送信データ線から受信データ線に対して送出し、受信した認証信号で特定のインピーダンスを検出することにより給電を開始し、給電電流が特定のピーク値を超えない限り給電を継続する第１の給電ハブとＬＡＮを介して接続可能であるとともに、
給電を開始する前に特定の電圧以下の認証用電流を送信データ線から受信データ線に対して送出し、受信した認証電流で給電を開始する第２の給電ハブとＬＡＮを介して接続可能なＩＰ電話機であって、
前記第１の給電ハブとの認証用のインピーダンス素子と、
前記第１の給電ハブとの認証の終了後に、データ送受信線を前記インピーダンス素子から切り離し、該データ送受信線に前記第１の給電ハブから直流電力が重畳されるように回路を切り替え、該ＩＰ電話機への給電を可能とする回路切替手段とを備えるとともに、
前記第２の給電ハブとの認証用の電流値が特定の値以下の場合には、内部のスイッチ手段をオフすることにより特定の抵抗で終端する認証用回路を備え、
前記第２の給電ハブとの認証の終了後に、データ送受信線に前記給電ハブから直流電力が重畳された際に、前記内部のスイッチ手段をオンすることにより、該ＩＰ電話機への給電を可能とすることを特徴とするＩＰ電話機。
【発明の詳細な説明】
【技術分野】
【０００１】
本発明は、ＩＰ電話機給電方式変換アダプタ及びＩＰ電話機に関し、特に、ＬＡＮ（Local Area Network）に接続される給電ハブからＩＰ電話機へ電源を供給するために用いられるアダプタ及び該アダプタを備えたＩＰ電話機に関する。
【背景技術】
【０００２】
ＩＥＥＥ８０２．３等のＬＡＮ環境に電話機を接続するＩＰ電話機ネットワークにおいて、給電方式の異なる複数のハブに対応するための電話機用電源回路として、特許文献１には、図３及び図４に示す回路が開示されている。
【０００３】
図３は、上記電源回路を備えたＩＰ電話機３６であって、ネットワーク３８に直接接続されるＲＪ４５コネクタ３２と、ネットワーク３８からのデジタル信号と直流電流とを分離する分離器３３と、ネットワーク３８の物理層を終端する伝送回路３４と、ＩＰ電話機３６の制御を司るＣＰＵ３５と、オーディオ回路、マイク、スピーカ、ダイヤルボタン、フックスイッチ等からなる電話機回路３７と、電源回路３１とで構成される。
【０００４】
電源回路３１は、図４に示すように、入力電流を制限する制限抵抗４１と、その制限電流を解除するトランジスタ４２と、ＤＣ／ＤＣコンバータ４４の入力リップル除去用の入力容量４３と、その出力を遅延させる遅延回路４５を含むＤＣ／ＤＣコンバータ４４と、入力電圧を検出し、一定時間ＤＣ／ＤＣコンバータ４４の出力を停止させる入力電圧検出回路４６と、出力電圧を検出した後に一定時間遅延し、トランジスタ４９をオンさせる遅延回路４７と、ベース電流制限抵抗４８及びトランジスタ４２をオンさせるためのトランジスタ４９とで構成される。
【０００５】
【特許文献１】特開２００２−２５２７３１号公報
【発明の開示】
【発明が解決しようとする課題】
【０００６】
しかし、上記特許文献１に記載のようなＩＥＥＥ８０２．３ａｆ制定以前の方式Ａにのみ対応したＩＰ電話機は、ＩＥＥＥ８０２．３ａｆ方式の給電ハブに接続しても給電を受けることができず、ＡＣアダプタ等の電源を接続する必要があり、コンセントの使用数が増加するとともに、配線が複雑化するという問題があった。尚、「方式Ａ」とは、ＬＡＮに接続されたＩＰ電話機に対し、給電を開始する以前に認証用信号を送信データ線から受信データ線に対して送出し、受信した認証信号で特定のインピーダンスを検出することにより給電を開始し、給電電流が特定のピーク値を超えない限り給電を継続する給電方式をいう。
【０００７】
また、ＩＥＥＥ８０２．３ａｆ方式にのみ対応したＩＰ電話機についても、方式Ａの給電ハブに接続しても給電を受けることができず、ＡＣアダプタ等の電源を接続する必要があり、上記と同様の問題があった。
【０００８】
そこで、本発明は、上記従来の技術における問題点に鑑みてなされたものであって、方式Ａにのみ対応したＩＰ電話機に対してＩＥＥＥ８０２．３ａｆ方式の給電ハブからの給電を可能にするとともに、ＩＥＥＥ８０２．３ａｆ方式にのみ対応したＩＰ電話機に対しても方式Ａの給電ハブから給電すること等が可能なＩＰ電話機給電方式変換アダプタ及びＩＰ電話機を提供することを目的とする。
【課題を解決するための手段】
【０００９】
上記目的を達成するため、本発明は、ＬＡＮに接続されたＩＰ電話機と、該ＩＰ電話機に給電を開始する前に認証用信号を送信データ線から受信データ線に対して送出し、受信した認証信号で特定のインピーダンスを検出することにより給電を開始し、給電電流が特定のピーク値を超えない限り給電を継続する給電ハブとの間に接続可能なＩＰ電話機給電方式変換アダプタであって、前記認証用のインピーダンス素子と、前記認証の終了後に、データ送受信線を前記インピーダンス素子から切り離し、該データ送受信線に前記給電ハブから直流電力が重畳されるように回路を切り替え、前記ＩＰ電話機への給電を可能とする回路切替手段とを備えることを特徴とする。
【００１０】
そして、本発明によれば、認証用のインピーダンス素子を用いて認証を行った後、回路切替手段によって、データ送受信線を前記インピーダンス素子から切り離し、該データ送受信線に給電ハブから直流電力が重畳されるように回路を切り替えてＩＰ電話機への給電を可能とするため、例えば、方式Ａに対応した給電ハブからＩＥＥＥ８０２．３ａｆ方式のＩＰ電話機への給電が可能となり、ＩＥＥＥ８０２．３ａｆ方式にのみ対応したＩＰ電話機であっても給電を受けることができ、ＡＣアダプタ等の電源が不要となり、コンセントの使用数を削減することができ、配線を簡易化することができる。
【００１１】
前記ＩＰ電話機給電方式変換アダプタにおいて、前記データ送受信線に直流電力が重畳されるように回路を切り替えた際に、該回路を流れる最大電流を制限するための定電流回路を備えるように構成することができる。
【００１２】
また、本発明は、ＬＡＮに接続されたＩＰ電話機と、該ＩＰ電話機に給電を開始する前に特定の電圧以下の認証用電流を送信データ線から受信データ線に対して送出し、受信した認証電流で給電を開始する給電ハブとの間に接続可能なＩＰ電話機給電方式変換アダプタであって、前記認証用の電流値が特定の値以下の場合には、内部のスイッチ手段をオフすることにより特定の抵抗で終端する認証用回路を備え、前記認証の終了後に、データ送受信線に前記給電ハブから直流電力が重畳された際に、前記内部のスイッチ手段をオンすることにより、前記ＩＰ電話機への給電を可能とすることを特徴とする。
【００１３】
そして、本発明によれば、認証用回路によって、認証の終了後に、データ送受信線に給電ハブから直流電力が重畳された際に、内部のスイッチ手段をオンすることによってＩＰ電話機への給電を可能とするため、例えば、ＩＥＥＥ８０２．３ａｆ方式の給電ハブから方式Ａにのみ対応したＩＰ電話機であっても給電を受けることができ、ＡＣアダプタ等の電源が不要となり、コンセントの使用数を削減することができ、配線を簡易化することができる。
【００１４】
さらに、本発明は、ＬＡＮに接続されたＩＰ電話機と、該ＩＰ電話機に給電を開始する前に認証用信号を送信データ線から受信データ線に対して送出し、受信した認証信号で特定のインピーダンスを検出することにより給電を開始し、給電電流が特定のピーク値を超えない限り給電を継続する第１の給電ハブに接続可能であるとともに、ＬＡＮに接続されたＩＰ電話機と、該ＩＰ電話機に給電を開始する前に特定の電圧以下の認証用電流を送信データ線から受信データ線に対して送出し、受信した認証電流で給電を開始する第２の給電ハブに接続可能なＩＰ電話機給電方式変換アダプタであって、前記第１の給電ハブとの認証用のインピーダンス素子と、前記第１の給電ハブとの認証の終了後に、データ送受信線を前記インピーダンス素子から切り離し、該データ送受信線に前記第１の給電ハブから直流電力が重畳されるように回路を切り替え、前記ＩＰ電話機への給電を可能とする回路切替手段とを備えるとともに、前記第２の給電ハブとの認証用の電流値が特定の値以下の場合には、内部のスイッチ手段をオフすることにより特定の抵抗で終端する認証用回路を備え、前記第２の給電ハブとの認証の終了後に、データ送受信線に前記第２の給電ハブから直流電力が重畳された際に、前記内部のスイッチ手段をオンすることにより、前記ＩＰ電話機への給電を可能とすることを特徴とする。
【００１５】
そして、本発明にかかるＩＰ電話機給電方式変換アダプタによれば、例えば、方式Ａにのみ対応したＩＰ電話機またはＩＥＥＥ８０２．３ａｆ方式にのみ対応したＩＰ電話機のいずれであっても給電ハブからの給電が可能となる。
【００１６】
また、本発明は、給電を開始する前に認証用信号を送信データ線から受信データ線に対して送出し、受信した認証信号で特定のインピーダンスを検出することにより給電を開始し、給電電流が特定のピーク値を超えない限り給電を継続する給電ハブとＬＡＮを介して接続可能なＩＰ電話機であって、前記認証用のインピーダンス素子と、前記認証の終了後に、データ送受信線を前記インピーダンス素子から切り離し、該データ送受信線に前記給電ハブから直流電力が重畳されるように回路を切り替え、該ＩＰ電話機への給電を可能とする回路切替手段とを備えることを特徴とする。
【００１７】
そして、本発明によれば、認証用のインピーダンス素子を用いて認証を行った後、回路切替手段によって、データ送受信線を前記インピーダンス素子から切り離し、該データ送受信線に給電ハブから直流電力が重畳されるように回路を切り替えてＩＰ電話機への給電を可能とするため、例えば、方式Ａに対応した給電ハブからＩＥＥＥ８０２．３ａｆ方式のＩＰ電話機への給電が可能となり、ＩＥＥＥ８０２．３ａｆ方式にのみ対応したＩＰ電話機であっても給電を受けることが可能となる。
【００１８】
前記ＩＰ電話機において、前記データ送受信線に直流電力が重畳されるように回路を切り替えた際に、該回路を流れる最大電流を制限するための定電流回路を備えるように構成することができる。
【００１９】
さらに、本発明は、給電を開始する前に特定の電圧以下の認証用電流を送信データ線から受信データ線に対して送出し、受信した認証電流で給電を開始する給電ハブとＬＡＮを介して接続可能なＩＰ電話機であって、前記認証用の電流値が特定の値以下の場合には、内部のスイッチ手段をオフすることにより特定の抵抗で終端する認証用回路を備え、前記認証の終了後に、データ送受信線に前記給電ハブから直流電力が重畳された際に、前記内部のスイッチ手段をオンすることにより、該ＩＰ電話機への給電を可能とすることを特徴とする。
【００２０】
そして、本発明によれば、認証用回路によって、認証の終了後に、データ送受信線に給電ハブから直流電力が重畳された際に、内部のスイッチ手段をオンすることによってＩＰ電話機への給電を可能とするため、例えば、ＩＥＥＥ８０２．３ａｆ方式の給電ハブから方式Ａに対応したＩＰ電話機への給電が可能となり、方式Ａにのみ対応したＩＰ電話機であっても給電を受けることが可能となる。
【００２１】
また、本発明は、給電を開始する前に認証用信号を送信データ線から受信データ線に対して送出し、受信した認証信号で特定のインピーダンスを検出することにより給電を開始し、給電電流が特定のピーク値を超えない限り給電を継続する第１の給電ハブとＬＡＮを介して接続可能であるとともに、給電を開始する前に特定の電圧以下の認証用電流を送信データ線から受信データ線に対して送出し、受信した認証電流で給電を開始する第２の給電ハブとＬＡＮを介して接続可能なＩＰ電話機であって、前記第１の給電ハブとの認証用のインピーダンス素子と、前記第１の給電ハブとの認証の終了後に、データ送受信線を前記インピーダンス素子から切り離し、該データ送受信線に前記第１の給電ハブから直流電力が重畳されるように回路を切り替え、該ＩＰ電話機への給電を可能とする回路切替手段とを備えるとともに、前記第２の給電ハブとの認証用の電流値が特定の値以下の場合には、内部のスイッチ手段をオフすることにより特定の抵抗で終端する認証用回路を備え、前記第２の給電ハブとの認証の終了後に、データ送受信線に前記給電ハブから直流電力が重畳された際に、前記内部のスイッチ手段をオンすることにより、該ＩＰ電話機への給電を可能とすることを特徴とする。
【００２２】
そして、本発明によれば、例えば、方式Ａに対応した給電ハブ及びＩＥＥＥ８０２．３ａｆ方式に対応した給電ハブのいずれからも給電を受けることのできるＩＰ電話機を提供することができる。
【発明の効果】
【００２３】
本発明によれば、方式Ａにのみ対応したＩＰ電話機に対してＩＥＥＥ８０２．３ａｆ方式の給電ハブからの給電が可能で、ＩＥＥＥ８０２．３ａｆ方式にのみ対応したＩＰ電話機に対しても方式Ａの給電ハブから給電が可能なＩＰ電話機給電方式変換アダプタ及びＩＰ電話機等を提供することができる。
【発明を実施するための最良の形態】
【００２４】
図１（ａ）に示すように、本発明にかかるＩＰ電話機用給電方式変換アダプタ１は、例えば、方式Ａの給電ハブ２とＩＥＥＥ８０２．３ａｆ方式のＩＰ電話機３の間に接続され、方式Ａの給電ハブ２からの電力をＩＥＥＥ８０２．３ａｆ方式のＩＰ電話機３に送出するとともに、データの送受信を行う。
【００２５】
また一方で、図１（ｂ）に示すように、ＩＰ電話機用給電方式変換アダプタ１は、ＩＥＥＥ８０２．３ａｆ方式の給電ハブ４と方式ＡのＩＰ電話機５の間に接続され、ＩＥＥＥ８０２．３ａｆ給電ハブ４からの電力を方式ＡのＩＰ電話機５に送出するとともにデータの送受信を行う。
【００２６】
このＩＰ電話機用給電方式変換アダプタ１は、図２に示すように、給電ハブ側ＬＡＮコネクタ１１と、データ伝送・電流重畳用の変圧器１２、１８と、方式Ａ用インピーダンス１３と、リレー１４〜１７と、ダイオードブリッジ１９と、ＩＥＥＥ８０２．３ａｆ認証回路２０と、突入電流防止用の定電流回路２１と、ＩＰ電話機側ＬＡＮコネクタ２２と、データ送信線２３、２５と、データ受信線２４、２６から構成されている。
【００２７】
次に、上記構成を有するＩＰ電話機給電方式変換アダプタの動作について説明する。まず、図１（ａ）に示すように、ＩＰ電話機用給電方式変換アダプタ１が、方式Ａの給電ハブ２とＩＥＥＥ８０２．３ａｆ方式のＩＰ電話機３間に接続された場合の動作を説明する。
【００２８】
方式Ａの給電ハブ２は、給電ハブ側ＬＡＮコネクタ１１に認証信号を送出する。認証信号は、データ送信線２３及び変圧器１２を介し、リレー１４、１５に送出される。その際、リレー１４〜１７は、方式Ａの給電ハブ２から直流電力を供給されていない状態であるため、リレー１４〜１８の接点は１側にあり、認証信号は、リレー１４、１５の１側、方式Ａ認証用インピーダンス１３、リレ−１６、１７の１側、変圧器１２、データ受信線２４、給電ハブ側ＬＡＮコネクタ１１を介し、方式Ａの給電ハブ２に戻る。
【００２９】
方式Ａの給電ハブ２は、この受信した認証信号によって方式ＡのＩＰ電話機が接続されたと認識することができるので、データ送信線２３及びデータ受信線２４に直流電力を重畳する。この重畳された電力によって、リレー１４〜１７のコイルに電流が流れ、リレー１４〜１７の接点は２側になる。従って、各信号は次に示すようになり、方式Ａの給電ハブ２とＩＥＥＥ８０２．３ａｆ方式のＩＰ電話機３間のデータ送受信及び電源供給を実現している。
【００３０】
送信データは、方式Ａの給電ハブ２、給電ハブ側ＬＡＮコネクタ１１、データ送信線２３、変圧器１２、リレ−１４、１５の２側、変圧器１８、データ送信線２５、ＩＰ電話機側ＬＡＮコネクタ２２、ＩＥＥＥ８０２．３ａｆ方式のＩＰ電話機３の順で送信される。
【００３１】
受信データは、ＩＥＥＥ８０２．３ａｆ方式のＩＰ電話機３、ＩＰ電話機側ＬＡＮコネクタ２２、データ受信線２６、変圧器１８、リレ−１６、１７の２側、変圧器１２、データ受信線２４、給電ハブ側ＬＡＮコネクタ１１、方式Ａの給電ハブ２の順で受信する。
【００３２】
電源供給の際には、方式Ａの給電ハブ２は、給電ハブ側ＬＡＮコネクタ１１を介し、データ送信線２３、データ受信線２４に直流電力を重畳する。直流電力は、変圧器１２、ダイオードブリッジ１９、ＩＥＥＥ８０２．３ａｆ認証回路２０、定電流回路２１、変圧器１８を介し、データ送信線２５、データ受信線２６に直流電力を重畳し、ＩＰ電話機側ＬＡＮコネクタ２２を介し、ＩＥＥＥ８０２．３ａｆ方式のＩＰ電話機３へ電力を供給する。ここで、定電流回路２１は、方式Ａの給電ハブ２の規定にあるピーク電流値を満足させるために電流を制限している。
【００３３】
第２に、ＩＰ電話機用給電方式変換アダプタ１が、ＩＥＥＥ８０２．３ａｆ方式の給電ハブ４と方式ＡのＩＰ電話機５間に接続された場合の動作を説明する。
【００３４】
まず、ＩＥＥＥ８０２．３ａｆ方式の給電ハブ４は、給電ハブ側ＬＡＮコネクタ１１に１５Ｖ以下の電圧で認証電流を送出する。認証電流は、データ送信線２３、変圧器１２、ダイオードブリッジ１９、ＩＥＥＥ８０２．３ａｆ認証回路２０へ送られる。ＩＥＥＥ８０２．３ａｆ認証回路２０は、電圧が１５Ｖ以下の場合、内部のスイッチをＯＦＦし、約２５ｋΩの抵抗で終端する。したがって、この約２５ｋΩの抵抗を通り、ダイオードブリッジ１９、変圧器１２、データ受信線２４の順に流れ、給電ハブ側ＬＡＮコネクタ１１を介して、ＩＥＥＥ８０２．３ａｆ方式の給電ハブ４に戻る。
【００３５】
ＩＥＥＥ８０２．３ａｆ方式の給電ハブ４は、この認証電流によってＩＥＥＥ８０２．３ａｆ方式のＩＰ電話機が接続されたと認識することができるので、データ送信線２３、データ受信線２４に４８Ｖの直流電力を重畳する。この重畳された電圧によってＩＥＥＥ８０２．３ａｆ認証回路２０内部のスイッチがＯＮすると同時に、リレー１４〜１７のコイルに電流が流れ、リレー１４〜１７の接点は２側になる。よって、各信号は次に示すようになり、ＩＥＥＥ８０２．３ａｆ方式の給電ハブ４と方式ＡのＩＰ電話機５間のデータ送受信及び電源供給を実現している。
【００３６】
送信データは、ＩＥＥＥ８０２．３ａｆ方式の給電ハブ４、給電ハブ側ＬＡＮコネクタ１１、データ送信線２３、変圧器１２、リレ−１４、１５の２側、変圧器１８、データ送信線２５、ＩＰ電話機側ＬＡＮコネクタ２２、方式ＡのＩＰ電話機５の順で送信される。
【００３７】
受信データは、方式ＡのＩＰ電話機５、ＩＰ電話機側ＬＡＮコネクタ２６、変圧器１８、リレ−１６、１７の２側、変圧器１２、データ受信線２４、給電ハブ側ＬＡＮコネクタ１１、ＩＥＥＥ８０２．３ａｆ方式の給電ハブ４の順で受信する。
【００３８】
電源供給の際には、ＩＥＥＥ８０２．３ａｆ方式の給電ハブ４は、給電ハブ側ＬＡＮコネクタ１１を介し、データ送信線２３、データ受信線２４に直流電力を重畳する。直流電力は、変圧器１２、ダイオードブリッジ１９、ＩＥＥＥ８０２．３ａｆ認証回路２０、定電流回路２１、変圧器１８を介し、データ送信線２５、データ受信線２６に直流電力を重畳し、ＩＰ電話機側ＬＡＮコネクタ２２を介し、ＩＥＥＥ８０２．３ａｆ方式のＩＰ電話機３へ電力を供給する。
【００３９】
尚、上記実施の形態においては、定電流回路２１は、方式Ａに規定されているピーク電流を防止する目的で設けたので、消費電力が小さくピーク電流が小さい場合には不要で、ジャンパー等に置き換えることが可能である。
【００４０】
また、上記回路をＩＰ電話機に内蔵することによって、方式ＡとＩＥＥＥ８０２．３ａｆの両方に対応したＩＰ電話機を実現することができる。
【図面の簡単な説明】
【００４１】
【図１】本発明にかかるＩＰ電話機給電方式変換アダプタの使用例を説明するためのブロック図である。
【図２】本発明にかかるＩＰ電話機給電方式変換アダプタの全体構成を示すブロック図である。
【図３】従来のＩＰ電話機の一例を示すブロック図である。
【図４】従来のＩＰ電話機給電方式変換アダプタの一例を示すブロック図である。
【符号の説明】
【００４２】
１      ＩＰ電話機用給電方式変換アダプタ
２      方式Ａの給電ハブ
３      ＩＥＥＥ８０２．３ａｆ方式のＩＰ電話機
４      ＩＥＥＥ８０２．３ａｆ給電ハブ
５      方式ＡのＩＰ電話機
１１    給電ハブ側ＬＡＮコネクタ
１２    変圧器
１３    方式Ａ認証用インピーダンス
１４    リレ−
１５    リレ−
１６    リレ−
１７    リレ−
１８    変圧器
１９    ダイオードブリッジ
２０    ＩＥＥＥ８０２．３ａｆ認証回路
２１    定電流回路
２２    ＩＰ電話機側ＬＡＮコネクタ
２３    データ送信線
２４    データ受信線
２５    データ送信線
２６    データ受信線
【図１】
2005323017.tif 000003
【図２】
2005323017.tif 000004
【図３】
2005323017.tif 000005
【図４】
2005323017.tif 000006